(57)【要約】      （修正有）【課題】使用時に極めて簡単な作業で机又はテーブルの天板上に所望の角度に折曲げて置くことができるとともに、不使用時には極めて簡単な作業で折畳むことができる折畳み式窓付き間仕切りボードを提供する。【解決手段】間仕切りボード１０は、使用時に３つに折曲げて机の天板上に立てた状態で置かれ、机の天板の幅方向に沿って置かれるメインボード１２が板状発泡体により形成され、その中央に長方形状のメイン窓１２ａが形成される。机の天板の両側縁に沿ってそれぞれ置かれる一対のサイドボード１３、１４も板状発泡体により形成される。メインボードの両側縁に一対のサイドボードを配置した状態でメインボード及び一対のサイドボードの一方の面の全体に透明フィルム１６が接着され、透明フィルムはメインボードと一対のサイドボードとを連結しヒンジとして機能する。【選択図】図１
0003227928.tif 000002
【実用新案登録請求の範囲】
【請求項１】
不使用時に折畳み可能であって使用時に３つに折曲げて机又はテーブルの天板上に立てた状態で置かれる間仕切りボードであって、
前記机又は前記テーブルの天板の幅方向に沿って置かれるとともに、中央に長方形状のメイン窓を有し、かつ板状発泡体又は両面にシート状表面材が接着された板状発泡体により形成された長方形状のメインボードと、
前記机又は前記テーブルの天板の両側縁に沿ってそれぞれ置かれるとともに、板状発泡体又は両面にシート状表面材が接着された板状発泡体により形成された長方形状の一対のサイドボードと、
前記メインボードの両側縁に前記一対のサイドボードを配置した状態で前記メインボード及び前記一対のサイドボードの一方の面の全体に接着されることにより前記メインボードと前記一対のサイドボードとを連結しヒンジとして機能するとともに前記メイン窓を塞ぐ透明フィルムと
を備えたことを特徴とする折畳み式窓付き間仕切りボード。
【請求項２】
前記メインボードが細長い長方形状の板状発泡体又は両面にシート状表面材が接着された板状発泡体により形成された４枚の枠用部品を有し、前記各枠用部品の先端面がこの枠用部品に隣接する別の枠用部品の基端部の側面に当接するようにそれぞれ配置されることにより、前記メインボードが中央にメイン窓を有する四角枠状に形成された請求項１記載の折畳み式窓付き間仕切りボード。
【請求項３】
前記メインボード及び前記一対のサイドボードは、一方の面又は両方の面の全体にシート状表面材が接着された１枚の板状発泡体を角度９０度の一対のＶ字状溝で３つに区画することにより前記一方の面に接着されたシート状表面材で連結された状態に形成され、前記シート状表面材全体に前記透明フィルムが接着された請求項１記載の折畳み式窓付き間仕切りボード。
【請求項４】
前記サイドボードの中央にサイド窓が形成された請求項１ないし３いずれか１項に記載の折畳み式窓付き間仕切りボード。
【請求項５】
不使用時に折畳み可能であって使用時に３つ又は４つに折曲げて机又はテーブルの天板上に立てた状態で置かれる間仕切りボードであって、
前記机又は前記テーブルの天板の幅方向に沿って置かれるとともに、中央にそれぞれ長方形状の第１及び第２メイン窓を有し、かつ板状発泡体又は両面にシート状表面材が接着された板状発泡体により形成された長方形状の第１及び第２メインボードと、
前記机又は前記テーブルの天板の両側縁に沿ってそれぞれ置かれるとともに、板状発泡体又は両面にシート状表面材が接着された板状発泡体により形成された長方形状の第１及び第２サイドボードと、
前記第１メインボードの側縁に前記第１サイドボードを配置した状態で前記第１メインボード及び前記第１サイドボードの一方の面の全体に接着されることにより前記第１メインボードと前記第１サイドボードとを連結しヒンジとして機能するとともに前記第１メイン窓を塞ぐ第１透明フィルムと、
前記第２メインボードの側縁に前記第２サイドボードを配置した状態で前記第２メインボード及び前記第２サイドボードの一方の面の全体に接着されることにより前記第２メインボードと前記第２サイドボードとを連結しヒンジとして機能するとともに前記第２メイン窓を塞ぐ第２透明フィルムと、
前記第１メインボード及び前記第２メインボードに接着されることにより前記第１メインボードと前記第２メインボードとを連結しヒンジとして機能する第３透明フィルムと
を備えたことを特徴とする折畳み式窓付き間仕切りボード。
【考案の詳細な説明】
【技術分野】
【０００１】
本考案は、使用時に勉強用や事務用の机又はテーブルの天板上に３つに折曲げて立てた状態で置き、不使用時に折畳んで小さいスペースに収納でき、メインボードに窓を有する間仕切りボードに関するものである。
【背景技術】
【０００２】
従来、１人対１人、又は１人対６人程度までの複数人の生徒に対して常時個別指導が可能な複数人対応型個別指導用学習机が開示されている（例えば、特許文献１（請求項１、段落［００１０］、図１、図２）参照。）。この学習机は２人が座れる程度の複数の長尺学習机と、長尺学習机上の長手方向に等間隔に設置された複数の仕切り板からなる。また、長尺学習机及び仕切り板を設置するとき、学習する生徒の人数に合せて、長尺学習机の使用数を適宜調整し、かつ長尺学習机の配置方向は教師が常に生徒の視界内にあって、迅速に個別指導及び情報伝達が可能な方向とする。更に、仕切り板の設置場所は、各生徒が、両隣の生徒の存在が気にならないようにするため、長尺学習机の長手方向に対して垂直方向にそれぞれ設置される。
【０００３】
このように構成された複数人対応型個別指導用学習机では、常時、教師が複数人の生徒に対して、個人指導できる態勢を確保することで、省空間でも、圧迫感がなく、周りに気を使うことなく、勉強に集中でき、かつ教師が複数の生徒に対して個別的に迅速に対応でき、また限られた狭い場所でも学習でき、かつ教師が常時、複数人の生徒に対して、個人指導ができる。
【先行技術文献】
【特許文献】
【０００４】
【特許文献１】実用新案登録第３１５５５３９号公報
【考案の概要】
【考案が解決しようとする課題】
【０００５】
しかし、上記特許文献１に示された複数人対応型個別指導用学習机では、仕切り板が長尺学習机に設置されているため、即ち仕切り板が長尺学習机に固定されているため、仕切り板を机に取付けるのに多くの時間を要するとともに、仕切り板を容易に取外すことができない不具合があった。また、近年、感染症（例えば、新型コロナウィルス肺炎のCOVID-19）が大流行しており、感染者の咳やくしゃみ等により空気中に浮遊するウィルスを含む飛沫をその周囲の健常者が鼻や口から吸い込むことにより、或いはウィルスを含む飛沫が周囲の健常者の目に入ることにより、周囲の健常者が感染症にかかるおそれがあり、上記特許文献１に示された複数人対応型個別指導用学習机では、仕切り板が長尺学習机上にその長手方向に等間隔にかつその長手方向に対して垂直方向に延びて設置されており、前面が開放されているため、学習机に着席した感染者が前方に向って咳やくしゃみ等をすることによりウィルスを含む飛沫が前方に飛散し、このウィルスを含む飛沫を前方の学習机に着席した健常者が鼻や口から吸い込むことにより、或いはウィルスを含む飛沫がその健常者の目に入ることにより、その健常者が感染症にかかるおそれがあった。
【０００６】
本考案の第１の目的は、使用時に極めて簡単な作業で机又はテーブルの天板上に所望の角度に展開して置くことができるとともに、不使用時に極めて簡単な作業で折畳むことができる、折畳み式窓付き間仕切りボードを提供することにある。本考案の第２の目的は、使用時に前方の視認性を確保できるとともに、間仕切りボードを置いた机又はテーブルへの着席者が感染者である場合、或いは机又はテーブルの向こう側にいる人が感染者である場合に、その感染者の咳やくしゃみ等による飛沫が前方及び側方に飛散することや着席者に到来することを防止できる、折畳み式窓付き間仕切りボードを提供することにある。本考案の第３の目的は、メインボードを構成する板状発泡体の使用量を低減できる、折畳み式窓付き間仕切りボードを提供することにある。本考案の第４の目的は、間仕切りボードを不使用状態から使用状態に切換えるとき、一対のサイドボードをメインボードに対して速やかに９０度にすることができる、折畳み式窓付き間仕切りボードを提供することにある。本考案の第５の目的は、使用時に前方の視認性のみならず側方の視認性も確保できる、折畳み式窓付き間仕切りボードを提供することにある。本考案の第６の目的は、不使用状態にするために折畳んだときの面積を小さくすることができる、折畳み式窓付き間仕切りボードを提供することにある。
【課題を解決するための手段】
【０００７】
本考案の第１の観点は、図１、図４及び図５に示すように、不使用時に折畳み可能であって使用時に３つに折曲げて机１１又はテーブルの天板１１ａ上に立てた状態で置かれる間仕切りボード１０であって、机１１又はテーブルの天板１１ａの幅方向に沿って置かれるとともに、中央に長方形状のメイン窓１２ａを有し、かつ板状発泡体又は両面にシート状表面材が接着された板状発泡体により形成された長方形状のメインボード１２と、机１１又はテーブルの天板１１ａの両側縁に沿ってそれぞれ置かれるとともに、板状発泡体又は両面にシート状表面材が接着された板状発泡体により形成された長方形状の一対のサイドボード１３，１４と、メインボード１２の両側縁に一対のサイドボード１３，１４を配置した状態でメインボード１２及び一対のサイドボード１３，１４の一方の面の全体に接着されることによりメインボード１２と一対のサイドボード１３，１４とを連結しヒンジとして機能するとともにメイン窓１２ａを塞ぐ透明フィルム１６とを備えたことを特徴とする。
【０００８】
本考案の第２の観点は、第１の観点に基づく考案であって、更に図１、図２及び図５に示すように、メインボード１２が細長い長方形状の板状発泡体又は両面にシート状表面材が接着された板状発泡体により形成された４枚の枠用部品１２ｂを有し、各枠用部品１２ｂの先端面がこの枠用部品１２ｂに隣接する別の枠用部品１２ｂの基端部の側面に当接するようにそれぞれ配置されることにより、メインボード１２が中央にメイン窓１２ａを有する四角枠状に形成されたことを特徴とする。
【０００９】
本考案の第３の観点は、第１の観点に基づく考案であって、更に図６〜図９に示すように、メインボード３２及び一対のサイドボード３３，３４は、一方の面又は両方の面の全体にシート状表面材３０ａが接着された１枚の板状発泡体を角度９０度の一対のＶ字状溝３０ｂ，３０ｂで３つに区画することにより前記一方の面に接着されたシート状表面材３０ａで連結された状態に形成され、シート状表面材３０ａ全体に透明フィルム３６が接着されたことを特徴とする。
【００１０】
本考案の第４の観点は、第１ないし第３の観点のいずれかに基づく考案であって、更に図１０〜図１２に示すように、サイドボード５３，５４の中央にサイド窓５３ａ，５４ａが形成されたことを特徴とする。
【００１１】
本考案の第５の観点は、図１３〜図１５に示すように、不使用時に折畳み可能であって使用時に３つ又は４つに折曲げて机又はテーブルの天板上に立てた状態で置かれる間仕切りボード７０であって、机又はテーブルの天板の幅方向に沿って置かれるとともに、中央にそれぞれ長方形状の第１及び第２メイン窓７１ａ，７２ａを有し、かつ板状発泡体又は両面にシート状表面材が接着された板状発泡体により形成された長方形状の第１及び第２メインボード７１，７２と、机又はテーブルの天板の両側縁に沿ってそれぞれ置かれるとともに、板状発泡体又は両面にシート状表面材が接着された板状発泡体により形成された長方形状の第１及び第２サイドボード８１，８２と、第１メインボード７１の側縁に第１サイドボード８１を配置した状態で第１メインボード７１及び第１サイドボード８１の一方の面の全体に接着されることにより第１メインボード７１と第１サイドボード８１とを連結しヒンジとして機能するとともに第１メイン窓７１ａを塞ぐ第１透明フィルム９１と、第２メインボード７２の側縁に第２サイドボード８２を配置した状態で第２メインボード７２及び第２サイドボード８２の一方の面の全体に接着されることにより第２メインボード７２と第２サイドボード８２とを連結しヒンジとして機能するとともに第２メイン窓７２ａを塞ぐ第２透明フィルム９２と、第１メインボード７１及び第２メインボード７２に接着されることにより第１メインボード７１と第２メインボード７２とを連結しヒンジとして機能する第３透明フィルム９３とを備えたことを特徴とする。
【考案の効果】
【００１２】
本考案の第１の観点の折畳み式窓付き間仕切りボードでは、透明フィルムがメインボードと一対のサイドボードとを連結しヒンジとして機能するので、間仕切りボードの使用時に、極めて簡単な作業で間仕切りボードを机又はテーブルの天板上に一対のサイドボードがメインボードに対して所望の角度、例えば９０度になるように展開しかつメインボードが正面に位置するように立てた状態で置くことができる。この間仕切りボードが置かれた机等への着席者が感染者である場合、或いは机又はテーブルの向こう側にいる人が感染者である場合に、その感染者が咳やくしゃみ等をすることにより、ウィルスを含む飛沫が空気中に浮遊しても、このウィルスを含む飛沫が間仕切りボードによりその前方及び側方に飛散することを防止でき、或いはウィルスを含む飛沫が間仕切りボードにより着席者に到来することを防止できる。また、メインボードの中央にメイン窓が形成されているので、間仕切りボードを机等の天板上に置いても、前方の視認性を確保することができる。更に、間仕切りボードの不使用時には、一対のサイドボードをメインボードに重ねるという極めて簡単な作業で折畳むことができる。この結果、この折畳まれた間仕切りボードを小さいスペースに収納できる。
【００１３】
本考案の第２の観点の折畳み式窓付き間仕切りボードでは、メインボードが４枚の板状発泡体又は両面にシート状表面材が接着された板状発泡体により形成された枠用部品を有し、各枠用部品の先端面がこの枠用部品に隣接する別の枠用部品の基端部の側面に当接するようにそれぞれ配置することにより、中央にメイン窓を有する四角枠状にメインボードを形成したので、メインボードをメイン窓を含む大きな板状発泡体又は両面にシート状表面材が接着された板状発泡体の中央を打ち抜いてメインボードを形成する場合より、メインボードを作製するための板状発泡体又は両面にシート状表面材が接着された板状発泡体の使用量を低減できる。
【００１４】
本考案の第３の観点の折畳み式窓付き間仕切りボードでは、メインボード及び一対のサイドボードを、一方の面又は両方の面の全体にシート状表面材が接着された１枚の板状発泡体を角度９０度の一対のＶ字状溝で３つに区画することにより一方の面に接着されたシート状表面材で連結した状態に形成し、このシート状表面材全体に透明フィルムを接着したので、間仕切りボードを不使用状態から使用状態に切換えるべく、メインボードに重ねられた一対のサイドボードをメインボードから展開したときに、一対のサイドボードのメインボードに対する角度を速やかに９０度にすることができる。
【００１５】
本考案の第４の観点の折畳み式窓付き間仕切りボードでは、サイドボードの中央にサイド窓を形成したので、使用時に前方の視認性のみならず側方の視認性も確保できる。
【００１６】
本考案の第５の観点の折畳み式窓付き間仕切りボードでは、メインボードを第１及び第２メイン窓がそれぞれ形成された左右の第１及び第２メインボードに分割し、第１メインボード及び第１サイドボードの一方の面の全体に第１透明フィルムを接着することにより、第１透明フィルムが第１メインボードと第１サイドボードとを連結しヒンジとして機能し、第２メインボード及び第２サイドボードの一方の面の全体に第２透明フィルムを接着することにより、第２透明フィルムが第２メインボードと第２サイドボードとを連結しヒンジとして機能し、更に第１メインボード及び第２メインボードに第３透明フィルムを接着することにより、第３透明フィルムが第１メインボードと第２メインボードとを連結しヒンジとして機能するので、不使用状態にすべく第１メインボードと第２メインボードとを互いに重なるように折畳むとともに、第１サイドボードを第１メインボードに重なるように折畳み、第２サイドボードを第２メインボードに重なるように折畳む。この結果、通常、第１及び第２メインボードの合計長さの方が一対のサイドボードのそれぞれの長さより長いため、折畳んだときの間仕切りボードの面積が、上記第１〜第４の観点の折畳んだときの間仕切りボードの面積より小さくなり、収納スペースを更に小さくすることができる。
【図面の簡単な説明】
【００１７】
【図１】本考案第１実施形態の折畳み式窓付き間仕切りボードを一平面上に展開した状態を示す正面図である。
【図２】その間仕切りボードを一平面上に展開した状態を示す背面図である。
【図３】図１のＡ−Ａ線断面図である。
【図４】（ａ）はその間仕切りボードの一対のサイドボードをメインボードに重ねて折畳んだ状態を示す図３に対応する断面図であり、（ｂ）はその間仕切りボードの一対のサイドボードをメインボードに対して９０度になるように折曲げた状態を示す図３に対応する断面図である。
【図５】その間仕切りボードを机の天板上に置いた状態を示す斜視図である。
【図６】本考案第２実施形態の折畳み式窓付き間仕切りボードを一平面上に展開した状態を示す正面図である。
【図７】その折畳み式窓付き間仕切りボードを一平面上に展開した状態を示す背面図である。
【図８】図６のＢ−Ｂ線断面図である。
【図９】（ａ）はその間仕切りボードの一対のサイドボードをメインボードに重ねて折畳んだ状態を示す図８に対応する断面図であり、（ｂ）はその間仕切りボードの一対のサイドボードをメインボードに対して９０度になるように折曲げた状態を示す図８に対応する断面図である。
【図１０】（ａ）は本考案第３実施形態の折畳み式窓付き間仕切りボードを一平面上に展開した状態を示す正面図であり、（ｂ）はその間仕切りボードを一平面上に展開した状態を示す背面図である。
【図１１】（ａ）は図１０（ａ）のＣ−Ｃ線断面図であり、（ｂ）はその間仕切りボードの一対のサイドボードをメインボードに対して９０度になるように折曲げた状態を示す（ａ）に対応する断面図である。
【図１２】その間仕切りボードの一対のサイドボードをメインボードに対して９０度に折曲げた状態を示す斜視図である。
【図１３】（ａ）は本考案第４実施形態の折畳み式窓付き間仕切りボードを一平面上に展開した状態を示す正面図であり、（ｂ）はその間仕切りボードを一平面上に展開した状態を示す背面図である。
【図１４】（ａ）は図１３（ａ）のＤ−Ｄ線断面図であり、（ｂ）はその間仕切りボードの一対のサイドボードをメインボードに対して９０度になるように折曲げかつ第１及び第２メインボードを一直線状にする直前の状態を示す（ａ）に対応する断面図である。
【図１５】使用状態の間仕切りボードを折畳んで不使用状態にする手順を示す間仕切りボードの斜視図である。
【考案を実施するための形態】
【００１８】
次に本考案を実施するための形態を図面に基づいて説明する。
【００１９】
＜第１の実施の形態＞
図５に示すように、間仕切りボード１０は、不使用時に折畳み可能であって、使用時に３つに折曲げて机１１の天板１１ａ上に立てた状態で置かれるように構成される。この間仕切りボード１０は、机１１の天板１１ａの幅方向に沿って置かれるとともに、板状発泡体により形成された長方形状のメインボード１２と、机１１の天板１１ａの両側縁に沿ってそれぞれ置かれるとともに、板状発泡体により形成された長方形状の一対のサイドボード１３，１４と、メインボード１２の両側縁に一対のサイドボード１３，１４を配置した状態でメインボード１２及び一対のサイドボード１３，１４の一方の面の全体に接着された透明フィルム１６とを備える（図１〜図４）。机１１は、この実施の形態では、教室にその前方に向って所定の間隔をあけて縦横に並んで置かれるとともに、生徒が着席する机である（図５）。
【００２０】
メインボード１２は、机１１の天板１１ａの幅より僅かに小さい長さを有する横長の長方形状に形成され、その中央には長方形状のメイン窓１２ａが形成される（図１、図２及び図５）。また、メインボード１２は、この実施の形態では、細長い長方形状の板状発泡体により形成された４枚の枠用部品１２ｂを有する。４枚の枠用部品１２ｂは、横方向に延びて配設される２枚の横枠用部品１２ｃ，１２ｃと、縦方向に延びて配設される２枚の縦枠用部品１２ｄ，１２ｄとからなり、横枠用部品１２ｃは縦枠用部品１２ｄより長く形成される（図１及び図２）。そして、各枠用部品１２ｃ，１２ｄの先端面がこの枠用部品１２ｃ，１２ｄに隣接する別の枠用部品１２ｄ，１２ｃの基端部の側面に当接するようにそれぞれ配置されることにより、メインボード１２が中央にメイン窓１２ａを有する四角枠状に形成される。このような構成により、メインボード１２をメイン窓１２ａを含む大きな板状発泡体の中央を打ち抜いてメインボード１２を作製する場合より、メインボード１２を作製するための板状発泡体の使用量を低減できる。更に、一対のサイドボード１３，１４は、机１１の天板１１ａの奥行きより小さい長さを有する縦長の長方形状に形成される。一対のサイドボード１３，１４には窓は形成されていない。なお、メインボード１２及び一対のサイドボード１３，１４を作製するための板状発泡体の厚さは、３ｍｍ〜７ｍｍ程度であることが好ましい。
【００２１】
一方、板状発泡体としては、熱可塑性樹脂を主成分とする基材を化学的或いは物理的方法により発泡させたものであれば特に制限なく使用できる。具体的には、ポリプロピレン、ポリエチレン、エチレン−酢酸ビニル共重合体、又はこれらを適宜に２種以上混合して成るポリオレフィン系樹脂、ポリエステル樹脂、ポリ塩化ビニル、ＡＢＳ、ポリスチレン、ポリアクリルニトリル、ポリウレタン、メラミン樹脂、フェノール樹脂等が適しているが、目的とする積層板の軽量性、表面平滑性、環境性の観点から、特にポリオレフィン系樹脂が好ましい。
【００２２】
一方、透明フィルム１６は、メインボード１２と一対のサイドボード１３，１４とを連結しヒンジとして機能する（図３及び図４）。具体的には、一方のサイドボード１３，１４がメインボード１２の一方の側縁を中心に回動可能に構成される（図３）。即ち、透明フィルム１６のうち一方のサイドボード１３とメインボード１２とを連結する部分がヒンジとなって、一方のサイドボード１３がメインボード１２の一方の側縁を中心に回動可能に構成される。また、他方のサイドボード１４がメインボード１２の他方の側縁を中心に回動可能に構成される。即ち、透明フィルム１６のうち他方のサイドボード１４とメインボード１２とを連結する部分がヒンジとなって、他方のサイドボード１４がメインボード１２の他方の側縁を中心に回動可能に構成される。更に、透明フィルム１６によりメイン窓１２ａが塞がれる（図１〜図５）。なお、上記透明フィルム１６は、厚さ０．０２ｍｍ〜０．５ｍｍ程度のポリエチレンテレフタレート、ポリプロピレン、ポリエチレン、ポリエチレンナフタレート、ポリ塩化ビニル、ポリ塩化ビニリデン、ポリスチレン、アクリル、ポリカーボネート等のプラスチック製フィルムにより形成されることが好ましい。また、メインボード１２及び一対のサイドボード１３，１４に透明フィルム１６を接着する方法としては、粘着剤又は接着剤で貼り合わせる方法が挙げられるが、特に限定はしない。
【００２３】
このように構成された折畳み式窓付き間仕切りボード１０の使用方法を説明する。一対のサイドボード１３，１４がメインボード１２に重なるように折畳まれた状態（不使用状態、図４（ａ））から、一対のサイドボード１３，１４をメインボード１２に対して９０度になるように展開する。具体的には、透明フィルム１６のうち一方のサイドボード１３とメインボード１２とを連結する部分をヒンジとして、メインボード１２の一方の側縁を中心に一方のサイドボード１３を９０度回転させ、透明フィルム１６のうち他方のサイドボード１４とメインボード１２とを連結する部分をヒンジとして、メインボード１２の他方の側縁を中心に他方のサイドボード１４を９０度回転させることにより、一対のサイドボード１３，１４をメインボード１２に対して９０度になるように展開する（図４（ｂ））。この場合、透明フィルム１６は手前側（内側）に位置する。次に、この間仕切りボード１０を、メインボード１２が正面に位置するように机１１の天板１１ａ上に立てた状態で置く（図５）。このように極めて簡単な作業で間仕切りボード１０を不使用状態から使用状態に切換えることができる。
【００２４】
また、間仕切りボード１０が置かれた机１１への着席者が感染者である場合、或いは机１１の向こう側にいる人が感染者である場合に、感染者が咳やくしゃみ等をすることにより、ウィルスを含む飛沫が空気中に浮遊しても、このウィルスを含む飛沫が間仕切りボード１０によりその前方及び側方に飛散することを防止でき、或いはウィルスを含む飛沫が間仕切りボード１０により着席者に到来することを防止できる。この結果、上記感染者が着席した机１１の前方の机や側方の机に着席した健常者が上記ウィルスを含む飛沫を鼻や口から吸い込み難く、またウィルスを含む飛沫がその健常者の目に入り難いため、その健常者が感染症にかかるのを抑制できる。また、メインボード１２の中央にメイン窓１２ａが形成されているので、間仕切りボード１０を机１１の天板１１ａ上に置いても、前方の視認性を確保できる。この結果、教師が教室の前面の黒板又はホワイトボードに書いた文字等を机１１の着席者がはっきりと視認できる。更に、間仕切りボード１０の不使用時には、一対のサイドボード１３，１４をメインボード１２に重ねるという極めて簡単な作業で折畳むことができる。この結果、この折畳まれた間仕切りボード１０を小さいスペースに収納できる。なお、間仕切りボードは軽量であるため、使用時に倒れたり、机から落下するおそれがあるため、再剥離性のある両面粘着テープを使用することで、より安定した状態で机に設置することができる。また、再剥離性のある両面粘着テープを使用することにより、不使用時には両面粘着テープの糊（粘着剤）が机に残ることなく剥がすことができる。
【００２５】
＜第２の実施の形態＞
図６〜図９は本考案の第２の実施の形態を示す。この実施の形態では、メインボード３２及び一対のサイドボード３３，３４は、一方の面の全体にシート状表面材３０ａが接着された１枚の板状発泡体を一対のＶ字状溝３０ｂ，３０ｂで３つに区画することによりシート状表面材３０ａで連結された状態に形成され、シート状表面材３０ａ全体に透明フィルム３６が接着される。上記一対のＶ字状溝３０ｂ，３０ｂの角度は９０度である（図８）。また、シート状表面材３０ａとしては、価格が安価であり、生産性、接着性の点から紙材が好ましい。紙材としては、更紙、アート紙、コート紙、化学繊維紙、合成紙、樹脂含浸紙の他に片面又は両面にポリエチレン等がラミネート加工されている合成樹脂加工紙等が挙げられる。また、メインボード３２及び一対のサイドボード３３，３４を構成する板状発泡体とシート状表面材３０ａとを接着する方法は、一般に用いられる接着剤を用いることができる。更に、一対のサイドボード３３，３４をメインボード３２に対して展開するときに、一対のサイドボード３３，３４をメインボード３２に対して２７０度回転させることにより、上記Ｖ字状溝３０ｂ，３０ｂが閉じた状態になる（図９）。上記以外は第１の実施の形態と同一に構成される。
【００２６】
このように構成された折畳み式窓付き間仕切りボード３０の使用方法を説明する。一対のサイドボード３３，３４がメインボード３２に重なるように折畳まれた状態（不使用状態、図９（ａ））から、一対のサイドボード３３，３４をメインボード３２に対して９０度になるように展開する。具体的には、透明フィルム３６のうち一方のサイドボード３３とメインボード３２とを連結する部分をヒンジとして、メインボード３２の一方の側縁を中心に一方のサイドボード３３を２７０度回転させ、透明フィルム３６のうち他方のサイドボード３４とメインボード３２とを連結する部分をヒンジとして、メインボード３２の他方の側縁を中心に他方のサイドボード３４を２７０度回転させることにより、一対のサイドボード３３，３４をメインボード３２に対して９０度になるように展開する（図９（ｂ））。一対のサイドボード３３，３４がメインボード３２に対して９０度になると、一対のＶ字状溝３０ｂ，３０ｂが閉じるので、一対のサイドボード３３，３４をメインボード３２に対して速やかに９０度にすることができる。この場合、透明フィルム３６は外側に位置する。次に、この間仕切りボード３０を、メインボード３２が正面に位置するように机の天板上に立てた状態で置く。このように極めて簡単な作業で間仕切りボード３０を不使用状態から使用状態に切換えることができる。なお、この実施の形態では、一対のサイドボード３３，３４をメインボード３２に対して展開するときに、一対のサイドボード３３，３４をメインボード３２に対して２７０度回転させたが、一対のサイドボード３３，３４をメインボード３２に対して展開するときに、一対のサイドボード３３，３４をメインボード３２に対して９０度回転させてもよい。この場合、透明フィルム３６は手前側（内側）に位置する。上記以外の間仕切りボード３０の使用方法は、第１の実施の形態の間仕切りボードの使用方法と略同様であるので、繰返しの説明を省略する。
【００２７】
＜第３の実施の形態＞
図１０〜図１２は本考案の第３の実施の形態を示す。この実施の形態では、一対のサイドボード５３，５４の中央に一対のサイド窓５３ａ，５４ａがそれぞれ形成される（図１０及び図１２）。具体的には、間仕切りボード５０は、机の天板の幅方向に沿って置かれるとともに、板状発泡体により形成された長方形状のメインボード５２と、机の天板の両側縁に沿ってそれぞれ置かれるとともに、板状発泡体により形成された長方形状の一対のサイドボード５３，５４と、メインボード５２の両側縁に一対のサイドボード５３，５４を配置した状態でメインボード５２及び一対のサイドボード５３，５４の一方の面の全体に接着された透明フィルム５６とを備える（図１０及び図１１）。そして、メインボード５２は、机の天板の幅より僅かに小さい長さを有する横長の長方形状に形成され、その中央には長方形状のメイン窓５２ａが形成される。また、一対のサイドボード５３，５４は、机の天板の奥行きより僅かに小さい長さを有する横長の長方形状に形成され、その中央には長方形状の一対のサイド窓５３ａ，５４ａがそれぞれ形成される。更に、メインボード５２及び一対のサイドボード５３，５４は、一方の面の全体にシート状表面材５０ａが接着された１枚の板状発泡体を一対のＶ字状溝５０ｂ，５０ｂで３つに区画することによりシート状表面材５０ａで連結された状態に形成され、シート状表面材５０ａ全体に透明フィルム５６が接着される（図１１）。この透明フィルム５６の接着により、メイン窓５２ａと一対のサイド窓５３ａ，５４ａが塞がれる。上記以外は第２の実施の形態と同一に構成される。
【００２８】
このように構成された折畳み式窓付き間仕切りボード５０では、メインボード５２の中央にメイン窓５２ａを形成し、更に一対のサイドボード５３，５４の中央に一対のサイド窓５３ａ，５４ａをそれぞれ形成したので、使用時に前方の視認性のみならず側方の視認性も確保できる（図１２）。また、一対のサイドボード５３，５４の長さを第２の実施の形態の一対のサイドボードの長さより長く形成したので、間仕切りボード５０が置かれた机への着席者が感染者である場合、或いは机の向こう側にいる人が感染者である場合に、感染者が咳やくしゃみ等をすることにより、ウィルスを含む飛沫が空気中に浮遊しても、このウィルスを含む飛沫が間仕切りボード５０によりその前方及び側方に飛散することを更に効果的に防止でき、或いはウィルスを含む飛沫が間仕切りボード５０により着席者に到来することを更に効果的に防止できる。上記以外の間仕切りボード５０の使用方法は、第２の実施の形態の間仕切りボードの使用方法と略同様であるので、繰返しの説明を省略する。
【００２９】
＜第４の実施の形態＞
図１３〜図１５は本考案の第４の実施の形態を示す。この実施の形態では、メインボードが左右の第１及び第２メインボード７１，７２に分割される（図１３及び図１４）。具体的には、第１及び第２メインボード７１，７２は、机の天板の幅方向に沿って置かれるとともに、板状発泡体により形成され、これらの中央には長方形状の第１及び第２メイン窓７１ａ，７２ａがそれぞれ形成される。また、板状発泡体により形成された長方形状の第１及び第２サイドボード８１，８２が机の天板の両側縁に沿ってそれぞれ置かれる。これらの第１及び第２サイドボード８１，８２は、机の天板の奥行きより僅かに小さい長さを有する横長の長方形状に形成され、それらの中央には長方形状の第１及び第２サイド窓８１ａ，８２ａがそれぞれ形成される（図１３及び図１５）。なお、第１及び第２メインボード７１，７２と第１及び第２サイドボード８１，８２とは、図示しないが、細長い長方形状の板状発泡体により形成された４枚の枠用部品をそれぞれ有する。そして、４枚の枠用部品は、横方向に延びて配設される２枚の横枠用部品と、縦方向に延びて配設される２枚の縦枠用部品とからなり、横枠用部品は縦枠用部品より長く形成される。
【００３０】
一方、第１メインボード７１の側縁に第１サイドボード８１を配置した状態で第１メインボード７１及び第１サイドボード８１の一方の面の全体に第１透明フィルム９１が接着される（図１４）。この第１透明フィルム９１により第１メインボード７１と第１サイドボード８１とが連結され、第１透明フィルム９１がヒンジとして機能する。また、第２メインボード７２の側縁に第２サイドボード８２を配置した状態で第２メインボード７２及び第２サイドボード８２の一方の面の全体に第２透明フィルム９２が接着される。この第２透明フィルム９２により第２メインボード７２と第２サイドボード８２とが連結され、第２透明フィルム９２がヒンジとして機能する。更に、第１メインボード７１及び第２メインボード７２に第３透明フィルム９３が接着される。この第３透明フィルム９３により第１メインボード７１と第２メインボード７２とが連結され、第３透明フィルム９３がヒンジとして機能する。上記以外は第１の実施の形態と同一に構成される。
【００３１】
このように構成された折畳み式窓付き間仕切りボード７０では、この間仕切りボード７０を使用状態から不使用状態に切換えるとき、第１メインボード７１と第２メインボード７２とを互いに重なるように折畳むとともに（図１４（ｂ）及び図１５（ｂ））、第１サイドボード８１を第１メインボード７１に重なるように折畳み、第２サイドボード８２を第２メインボード７２に重なるように折畳む（図１５（ｃ））。この結果、第１及び第２メインボード７１，７２の合計長さの方が一対のサイドボード８１，８２のそれぞれの長さより長いため、折畳んだときの間仕切りボード７０の面積が、上記第１〜第３の実施の形態の折畳んだときの間仕切りボードの面積より小さくなり、収納スペースを更に小さくすることができる。また、第１及び第２サイドボード８１，８２の中央に第１及び第２サイド窓８１ａ，８２ａをそれぞれ形成したので、使用時に前方の視認性のみならず側方の視認性も確保できる（図１５（ａ））。更に、第１及び第２サイドボード８１，８２の長さを第２の実施の形態の一対のサイドボードの長さよりそれぞれ長く形成したので、間仕切りボード７０が置かれた机への着席者が感染者である場合、或いは机の向こう側にいる人が感染者である場合に、感染者が咳やくしゃみ等をすることにより、ウィルスを含む飛沫が空気中に浮遊しても、このウィルスを含む飛沫が間仕切りボード７０によりその前方及び側方に飛散することを更に効果的に防止でき、或いはウィルスを含む飛沫が間仕切りボード７０により着席者に到来することを更に効果的に防止できる。上記以外の間仕切りボード７０の使用方法は、第１の実施の形態の間仕切りボードの使用方法と略同様であるので、繰返しの説明を省略する。
【００３２】
なお、上記第１〜第４の実施の形態では、使用時に間仕切りボードを３つに折曲げて机の天板上に立てた状態で置いたが、使用時に間仕切りボードを３つに折曲げてテーブルの天板上に立てた状態で置いてもよい。また、上記第１の実施の形態では、一対のサイドボードを窓のない縦長の長方形状に形成したが、一対のサイドボードを窓が形成された横長の長方形状に形成してもよい。また、上記第１及び第４の実施の形態では、メインボード及びサイドボードを板状発泡体により形成したが、メインボード及びサイドボードを両面にシート状表面材が接着された板状発泡体により形成してもよい。ここで、メインボード及びサイドボードの両面にシート状表面材を接着した方が、メインボード及びサイドボードの反りや強度の点で優れている。また、上記第２及び第３の実施の形態では、メインボード及びサイドボードを一方の面にシート状表面材が接着された板状発泡体により形成したが、メインボード及びサイドボードを両方の面にシート状表面材が接着された板状発泡体により形成してもよい。ここで、メインボード及びサイドボードの両面にシート状表面材を接着した方が、メインボード及びサイドボードの反りや強度の点で優れている。更に、上記第４の実施の形態では、間仕切りボードを３つに折曲げた状態（例えば、図１５（ａ）に示す状態）で使用したが、４つに間仕切りボードを折曲げた状態（例えば、図１４（ｂ）に示す状態）で使用してもよい。
【符号の説明】
【００３３】
１０，３０，５０，７０  間仕切りボード
１１  机
１１ａ  天板
１２，３２，５２  メインボード
１２ａ，３２ａ，５２ａ  メイン窓
１２ｂ  枠用部品
１３，１４，３３，３４，５３，５４  サイドボード
１６，３６，５６  透明フィルム
３０ａ，５０ａ  シート状表面材
３０ｂ，５０ｂ  Ｖ字状溝
５３ａ，５４ａ  サイド窓
７１  第１メインボード
７１ａ  第１メイン窓
７２  第２メインボード
７２ｂ  第２メイン窓
８１  第１サイドボード
８１ａ  第１サイド窓
８２  第２サイドボード
８２ｂ  第２サイド窓
９１  第１透明フィルム
９２  第２透明フィルム
９３  第３透明フィルム
【図１】
0003227928.tif 000003
【図２】
0003227928.tif 000004
【図３】
0003227928.tif 000005
【図４】
0003227928.tif 000006
【図５】
0003227928.tif 000007
【図６】
0003227928.tif 000008
【図７】
0003227928.tif 000009
【図８】
0003227928.tif 000010
【図９】
0003227928.tif 000011
【図１０】
0003227928.tif 000012
【図１１】
0003227928.tif 000013
【図１２】
0003227928.tif 000014
【図１３】
0003227928.tif 000015
【図１４】
0003227928.tif 000016
【図１５】
0003227928.tif 000017